(57)【要約】【課題】クッション等の弾性部材や不織布を機構部品に貼り付けることなく、クッション等のへたりや剥がれが発生せず、しかも、パネルやそれと一体のパネルホルダのガタツキを防止して異音の発生が防止される可動パネルの駆動装置を提供する。【解決手段】電子機器本体１の前面側に配置され、電子機器本体の前面を覆う位置と電子機器本体の前面を開く位置の間で駆動される可動パネル６の駆動装置において、電子機器本体１の前面を覆う位置において、可動パネル６に設けた弾力を有する凸片５ｃが電子機器本体１に固定された部材２に圧接される。【選択図】図３
2009292346.tif 000002
【特許請求の範囲】
【請求項１】
電子機器本体の前面側に配置され、電子機器本体の前面を覆う位置と電子機器本体の前面を開く位置の間で駆動される可動パネルの駆動装置において、可動パネルが電子機器本体の前面を覆う移動端の位置にある状態で、可動パネルに設けた弾力を有する凸片が電子機器本体に固定された部材に圧接されることを特徴とする可動パネルの駆動装置。
【請求項２】
前記可動パネルは、電子機器本体の下部に配置され前記可動パネルを回動自在に支持するスライダと、前記可動パネルに設けられた凸部を案内するガイド溝を含む駆動機構により駆動される請求項１の可動パネルの駆動装置。
【請求項３】
前記凸片は、可動パネルの回動中心から離れる上端部に前方に延びる水平部と垂直に立ち上がる垂直部とで逆Ｌ字形に形成されており、前記可動パネルの電子機器本体の前面を覆う位置方向への移動により電子機器本体に固定された部材の穴内に入り込み、前記スライダの電子機器本体の奥方向の移動終端において前記凸片の垂直部は前記電子機器本体に固定された部材の穴の前側の縁に圧接され、水平部は、前記穴の前側の縁の上面に圧接される請求項２の可動パネルの駆動装置。
【発明の詳細な説明】
【技術分野】
【０００１】
この発明は電子機器に係わり、特に、その可動パネルの駆動装置に関する。
【背景技術】
【０００２】
従来の可動パネルの駆動装置の例を図４により説明する。図４は従来の可動パネルの駆動装置の例を一部断面として示す側面図である。
【０００３】
図４に示す１１は車載用音響・映像機器等の電子機器本体であり、その前面側にサブパネル１２が固定されている。サブパネル１２の両内側面には図示していないガイド溝が形成されている。
【０００４】
スライダ１３は電子機器本体１１の下方に配置されており、水平方向すなわちサブパネル１２に対して出入方向に駆動される。スライダ１３の両側板にねじ込まれたねじ１３ａの先端部はパネルホルダ１５に設けられた穴に嵌合し、パネルホルダ１５を回動自在に保持している。
【０００５】
パネルホルダ１５は図示していない表示部や操作つまみが設けられたパネル１４を保持し、一体となったパネル１４とパネルホルダ１５により可動パネル１６が形成されている。パネルホルダ１５に立設された軸１５ａはローラ１５ｂを回転可能に保持しており、ローラ１５ｂはサブパネル１２のガイド溝に係合している。
【０００６】
スライダ１３とそれを駆動するモータやギヤおよびサブパネル１２のガイド溝は可動パネル１６の駆動機構を構成しており、この駆動機構は可動パネル１６を図４に示すように直立してサブパネル１２を覆う位置と後傾してサブパネル１２を開く位置との間で駆動する。パネルホルダ１５の背面にはゴム等で作られたクッション１７が貼着されている。
【０００７】
上記構成において、スライダ１３が水平方向に移動すると、パネルホルダ１５の下端部が水平方向に移動すると共に、可動パネル１６が傾動する。スライダ１３が電子機器本体１１から突出方向の移動終端まで移動すると可動パネル１６はサブパネル１２に設けられている図示していない記録媒体挿入口を露出させて、記録媒体の挿入や交換が可能となる。
【０００８】
図４はスライダ１３が電子機器本体１１の内部方向の移動終端まで移動した状態を示しており、この状態でサブパネル１２に設けられている記録媒体挿入口は可動パネル１６で覆われている。そして、パネルホルダ１５に貼着されたクッション１７はサブパネル１２に圧接されている。
【０００９】
上記図４に示す従来の可動パネルの駆動装置では、可動パネル１６がサブパネル１２を覆う位置にあるときに、クッション１７がサブパネル１２に圧接されているので、車両に搭載された電子機器本体１１が振動する場合にも可動パネル１６のガタツキによるラトル音（衝突音）の発生が防止される。
【００１０】
クッション１７としてはスポンジ状のクッションが用いられているが、柔らかいゴム板も用いることができる。また、可動パネル１６と固定部材との近接部でのラトル音の発生防止のために不織布を貼るものもあった。
【００１１】
このような従来の可動パネルの駆動装置はクッション等の厚みの寸法バラツキが大きくサブパネル１２やパネルホルダ１５等の寸法のバラツキによっては、振動の抑制効果が発揮されない場合があり、また、可動パネルが閉まりきれない場合があった。
【００１２】
さらに、クッションはへたりやすく、長時間に亘ってクッションが潰されていると、経年変化による変形でクッションの振動の抑制効果が得られなくなることがある。
【００１３】
また、長時間の使用により接着されたクッションが剥がれて、振動の抑制効果が得られなくなり、さらには、剥がれたクッションが機構部に巻き込まれて機器の破損に至る恐れがあった。不織布が剥がれる場合も同様の不都合が発生する。
【００１４】
また、クッションや不織布を貼るときに位置ずれが生じやすく、位置ずれが生じると、振動抑制効果が得られず、また、ラトル音が発生することがあった。クッションや不織布を貼るときに位置ずれが生じないようにするために、貼り付けに手間が掛り、生産効率が落ちるという問題があった。
【００１５】
特開平８−３０７０６６号公報に開示されたパネル開閉装置は、操作パネル１ａが閉姿勢のときにカセット挿入面１ｃに貼着されたクッション等の緩衝材１６が操作パネル１ａの背面のプレート９に対して収縮状態で圧接する。このパネル開閉装置はカセット挿入面１ｃに貼着されたスポンジ等の緩衝材１６により、ラトル音の発生が防止されるが、緩衝材１６の厚みの寸法バラツキが大きく、機構部品の寸法のバラツキによっては振動の抑制効果が発揮されない場合があり、また、可動パネルが閉まりきれない恐れがあった。また、長時間に亘って緩衝材１６が潰されていると、経年変化による変形で緩衝材１６の振動の抑制効果が得られなくなることがある。
【特許文献１】特開平８−３０７０６６号公報、段落００３０、図１、図２
【発明の開示】
【発明が解決しようとする課題】
【００１６】
この発明は上記した点に鑑みてなされたものであって、その目的とするところは、クッション等の弾性部材や不織布を機構部品に貼り付けることなく、上記した問題が解決され、しかも、パネルやそれと一体のホルダのガタツキを防止して異音の発生が防止される可動パネルの駆動装置を提供することである。
【課題を解決するための手段】
【００１７】
この発明の可動パネルの駆動装置は、電子機器本体の前面側に配置され、電子機器本体の前面を覆う位置と電子機器本体の前面を開く位置の間で駆動される可動パネルの駆動装置において、可動パネルが電子機器本体の前面を覆う移動端の位置にある状態で、可動パネルに設けた弾力を有する凸片が電子機器本体に固定された部材に圧接されるものである。
【００１８】
また、前記可動パネルの駆動装置において、前記可動パネルは、電子機器本体の下部に配置され前記可動パネルを回動自在に支持するスライダと、前記可動パネルに設けられた凸部を案内するガイド溝を含む駆動機構により駆動されるものである。
【００１９】
また、前記可動パネルの駆動装置において、前記凸片は、可動パネルの回動中心から離れる上端部に前方に延びる水平部と垂直に立ち上がる垂直部とで逆Ｌ字形に形成されており、前記可動パネルの電子機器本体の前面を覆う位置方向への移動により電子機器本体に固定された部材の穴内に入り込み、前記スライダの電子機器本体の奥方向の移動終端において前記凸片の垂直部は、前記電子機器本体に固定された部材の穴の前側の縁に圧接され、水平部は、前記穴の前側の縁の上面に圧接されるものである。
【発明の効果】
【００２０】
この発明の可動パネルの駆動装置によれば、クッション等の弾性部材や不織布を機構部品に貼り付けることなく、クッション等のへたりや剥がれが発生せず、しかも、パネルやそれと一体のホルダのガタツキを防止して異音の発生が防止される。
【発明を実施するための最良の形態】
【００２１】
以下この発明を実施するための最良の形態を実施例に即して説明する。図１はこの発明の実施例である可動パネルの駆動装置の一部断面を示す側面図、図２は同可動パネルの駆動装置の部材の移動軌跡を示す側面図、同可動パネルの駆動装置の作用を示す側面図である。
【００２２】
図１に示す１は車載用音響・映像機器等の電子機器本体であり、その前面側にサブパネル２が固定されている。サブパネル２の両内側面にはガイド溝２ａ（図３に示している）が形成されている。
【００２３】
スライダ３は電子機器本体１の下方に配置されており、水平方向すなわちサブパネル２に対して出入方向に駆動される。電子機器本体１の両側にあるスライダ３にねじ込まれたねじ３ａの先端部はパネルホルダ５に設けられた穴に嵌合し、パネルホルダ５を回動自在に保持している。
【００２４】
合成樹脂製のパネルホルダ５は図示していない表示部や操作つまみが設けられたパネル４を保持し、一体となったパネル４とパネルホルダ５により可動パネル６が形成されている。パネルホルダ５に立設された軸５ａはローラ５ｂを回転可能に保持しており、ローラ５ａはサブパネル２のガイド溝２ａに係合している。
【００２５】
スライダ３とそれを駆動するモータやギヤおよびサブパネル２のガイド溝２ａは可動パネル６の駆動機構を構成しており、この駆動機構は可動パネル６を図１に示すように直立してサブパネル２を覆う位置と後傾してサブパネル２を開く位置との間で駆動する。パネルホルダ５の上端には逆Ｌ字形の凸片５ｃが形成されいる。
【００２６】
上記構成において、スライダ３が水平方向に移動すると、パネルホルダ５の下端部が水平方向に移動すると共に、可動パネル６が傾動する。スライダ３が電子機器本体１から突出方向の移動終端まで移動すると可動パネル６はサブパネル２に設けられている図示していない記録媒体挿入口を露出させ、記録媒体の挿入や交換が可能となっている。
【００２７】
また、スライダ３が電子機器本体１の奥方向に移動するときは、図２に示すように、可動パネルが直立してサブパネル２を覆う位置に移動し、このとき、パネルホルダ５の凸片５ｃサブパネル２に設けられた穴２ｂに入り込む。
【００２８】
スライダ３は凸片５ｃがサブパネル２の穴２ｂの縁に当接した後もさらに、短い距離移動して停止する。スライダ３がこのように電子機器本体１の奥方向の移動終端で停止したときは、パネルホルダ５の下端にスライダ３により図３に示すＡ方向の力が加わる。このＡ方向の力はパネルホルダ５に立設された軸５ａ回りにパネルホルダ５を回動させる力となり凸片５ｃの立上がり部を弾性変形させて穴２ｂの縁に圧接する図３に示すＢ方向の力として作用する。
【００２９】
また、凸片５ｃの上端の水平部は先端が僅かに上へ向くように傾斜しており、凸片５ｃの水平部はサブパネル２の穴２ｂの周辺の上面に圧接される。これによりパネルホルダ５は回動方向および上下方向の振動が防止される。なお、パネル２の穴２ｂの縁をＲ形状とすることにより凸片５ｃの水平部の圧接力を得やすくすることができる。
【００３０】
また、凸片５ｃの水平部の先端と基端に面取が形成されている。この先端に形成された面取は寸法のバラツキによる凸片５ｃと穴２ｂの縁との干渉を防止する。そして、基端に形成された面取は可動パネル６が傾動するときにサブパネル２と干渉することを防止する。
【００３１】
凸片５ｃの幅を大きくすると、凸片５ｃの弾性変形量を小さくしても振動を抑制する十分な圧接力を得ることができる。弾性変形量を小さくすれば、凸片５ｃにクリープ（へたり）が発生しないので、長期間弾性変形させた状態でも振動防止効果がなくなることはない。凸片５ｃの剛性を大きくすることは、断面をコ字形として厚さを高くし、しかも中間部に凹みを設けることにより薄肉構造でも可能となる。
【００３２】
このように、実施例の可動パネルの駆動装置は、クッション等の弾性部材や不織布を機構部品に貼り付けていないので、クッション等のへたりや剥がれが発生することがなく、それらによる不都合がない。
【００３３】
実施例は以上のように構成されているが発明はこれに限られず、例えば、パネルのパネルホルダを固定軸回りに回動自在に支持し、手動で回動させ、所定位置にロックさせるようにしてもよい。
【００３４】
実施例として車載用音響・映像機器の例について説明したが、発明はこれに限られず、例えば、自動車インストルメントパネルのスイッチパネル等の可動パネル全般にこの発明を適用することができる。
【００３５】
また、ビデオプレーヤ、ディスクプレーヤ等の家庭用ＡＶ機器、エアコン、冷蔵庫等はラトル音の発生防止対策は必要でないが、この発明を適用することにより可動パネルのガタツキが抑えられて製品の品位が向上する。
【図面の簡単な説明】
【００３６】
【図１】この発明の実施例である可動パネルの駆動装置の一部断面を示す側面図である。
【図２】同可動パネルの駆動装置の部材の移動軌跡を示す側面図である。
【図３】同可動パネルの駆動装置の作用を示す側面図である。
【図４】従来の可動パネルの駆動装置の例を一部断面として示す側面図である。
【符号の説明】
【００３７】
１  電子機器本体
２  サブパネル、２ａ  ガイド溝、２ｂ  穴
３  スライダ、３ａ  ねじ
４  パネル
５  パネルホルダ、５ａ  軸、５ｂ  ローラ、５ｃ  凸片
６  可動パネル
１１  電子機器本体
１２  サブパネル
１３  スライダ、１３ａ  ねじ
１４  パネル
１５  パネルホルダ、１５ａ  軸、１５ｂ  ローラ
１６  可動パネル
１７  クッション
【図１】
2009292346.tif 000003
【図２】
2009292346.tif 000004
【図３】
2009292346.tif 000005
【図４】
2009292346.tif 000006